(57)【要約】      （修正有）【課題】歩行しても変形、損傷は生じることがなく、施工時の行動が制約されることがなくなり、施工効率を向上させることができるカバールーフ用曲げ棟部材を提供する。【解決手段】カバールーフ用曲げ棟部材１は、カバールーフ６と同様の曲率で頂面をアール状に形成され、そのカバールーフ６の棟部分の上面に重合され、カバールーフ６を貫通し、母屋Ｃ鋼４に締結部材により固着され、カバールーフ６の凹凸に適合するピッチで凹凸部分を連続して一体成形している。凹部分には曲げ方向と直交する複数の溝７が平行に形成され、その溝７は凹部分と隣接する凸部１６の側壁面まで延設されている。【選択図】図１
0003198899.tif 000002
【実用新案登録請求の範囲】
【請求項１】
カバールーフと同様の曲率で頂面をアール状に形成され、そのカバールーフの棟部分の上面に重合され、前記したカバールーフを貫通し、母屋Ｃ鋼に締結部材により固着され、カバールーフの凹凸に適合するピッチで凹凸部分を連続して一体成形していることを特徴とするカバールーフ用曲げ棟部材。
【請求項２】
前記した凹部分には曲げ方向と直交する複数の溝が平行に形成され、その溝は該凹部分と隣接する凸部の側壁面まで延設されていることを特徴とする請求項１に記載のカバールーフ用曲げ棟部材。
【請求項３】
前記した締結部材は複数のボルトあるいは留めビスとし、その締結部材の引き抜き強度は一本あたり４８５ｋｇ（＝４．４８８ニュートン）としてあることを特徴とする請求項１または請求項２に記載のカバールーフ用曲げ棟部材。
【請求項４】
前記した締結部材は凸部分の頂面から挿通螺着されることを特徴とする請求項１から３のうち１項に記載のカバールーフ用曲げ棟部材。
【請求項５】
ガルバリウム鋼板によって成形されていることを特徴とする請求項１から４のうち１項に記載のカバールーフ用曲げ棟部材。
【考案の詳細な説明】
【技術分野】
【０００１】
本考案はカバールーフ用曲げ棟部材に関するものである。
【背景技術】
【０００２】
従来、屋根の改修として、既設のスレートの上にカバールーフを重合させる施工が実施されている。このカバールーフを用いた場合、屋根の勾配の頂部となる棟部分は、カバールーフが勾配に沿った角度を形成した屈曲状態となり、その棟部分に補強として平棟又は山棟部材を重合設置するにしても、その平棟又は山棟部材は屈曲部分が上端の尖ったものとなっていた。
【０００３】
そして、カバールーフは棟部分では連結されているものではなく、間隔が形成されているため、平棟又は山棟部材の屈曲部分は上端の尖った下方が空隙となり、負荷に対して脆弱なものとなっており、施工時に作業者が上面を歩行した際の加重でも変形損傷してしまう虞を有していた。
【０００４】
また、平棟又は山棟部材が前記した形状のため、施工後の屋根の外観が鋭利なものとなり、一体性を欠如し、美感を損ない違和感が生じてしまうものとなっていた。
【先行技術文献】
【特許文献】
【０００５】
出願人は、本願考案について、先行技術文献を調査したが、格別に本願考案と関連し、類似すると思われる文献は発見できなかった。
【考案の概要】
【考案が解決しようとする課題】
【０００６】
本考案が解決しようとする問題点は、従来、カバールーフを施工した際に、棟部分に設置される平棟又は山棟部材は強度が弱く、作業者の歩行等でも変形してしまうため、作業者の行動、移動範囲が制約され、著しく施工効率が悪くなってしまうという点であり、また、屋根としての美感を損なってしまうという点であり、耐風強度にも劣っていたという点である。
【課題を解決するための手段】
【０００７】
上記した問題点を解決するため、本考案に係るカバールーフ用曲げ棟部材は、カバールーフと同様の曲率で頂面をアール状に形成され、そのカバールーフの棟部分の上面に重合され、前記したカバールーフを貫通し、母屋Ｃ鋼に締結部材により固着され、カバールーフの凹凸に適合するピッチで凹凸部分を連続して一体成形していることを特徴とし、前記した凹部分には曲げ方向と直交する複数の溝が平行に形成され、その溝は該凹部分と隣接する凸部の側壁面まで延設されていることを特徴としている。
【０００８】
前記した締結部材は複数のボルトあるいは留めビスとし、その締結部材の引き抜き強度は一本あたり４８５ｋｇ（＝４．４８８ニュートン）としてあることを特徴とし、前記した締結部材は凸部分の頂面から挿通螺着されることを特徴とし、ガルバリウム鋼板によって成形されていることを特徴としている。
【考案の効果】
【０００９】
本考案に係るカバールーフ用曲げ棟部材は上記のように構成されている。そのため、カバールーフと密な重合構造となり、加えて複数の溝によってリブも構成され、加重強度が担保されることとなる。従って、この曲げ棟上を歩行しても変形、損傷は生じることがなく、施工時の行動が制約されることがなくなり、施工効率を大きく向上させることができる。
【００１０】
また、カバールーフと密に重合する同一形状デザインのため、外観の美感を得ることができ、さらには、耐風強度も飛躍的に向上し、強風にも十分対応することができるものとなっている。
【図面の簡単な説明】
【００１１】
【図１】本考案に係るカバールーフ用曲げ棟部材を施工した状態を示す正面図である。
【図２】同じく斜視図である。
【考案を実施するための形態】
【００１２】
図面として示し、実施例で説明したように構成したことで実現した。
【実施例１】
【００１３】
次に、本考案の好ましい実施の一例を図面を参照して説明する。これらの図にあって１は本考案を実施したカバールーフ用曲げ棟部材を示しており、この曲げ棟部材１はガルバリウム鋼板によって成形されている。
【００１４】
一方、図中２は既存梁天を示し、この既存梁天２上に既存大波スレート３が、既存母屋Ｃ鋼４、４に対し、フックボルト５、５によって固着されている。このフックボルト５、５の余長は切断除去されている。また、既存大波スレート３の中央部位は屈曲されて大波曲げ棟３ａとなっている。
【００１５】
さらに、この大波スレート３上には、ガルバリウム鋼板製のカバールーフ６、６‥が新設重合され、このカバールーフ６、６は棟部分ではスペースＳをもって設置される。そして、このカバールーフ６、６は棟部分と直交する方向に凹凸が適宜ピッチで連続形成されたものとなっている。
【００１６】
本考案を実施したカバールーフ用曲げ棟部材１は、前記したカバールーフ６、６上に密に重合して設置される。即ち、この曲げ棟部材１には、カバールーフ６、６の凹凸と合致する凹部１ａ及び凸部１ｂが所要ピッチで連続して形成されており、カバールーフ６、６の凹部に対して凹部１ａが、凸部に対して凸部１ｂが適合して重合されるものとなっている。本実施例では凹部１ａを五つで、凸部１ｂを六つ有する形態となっている。
【００１７】
このカバールーフ用曲げ棟部材１の屈曲部、即ち、棟対応部分には、この曲げ棟部材１の長さ方向と直交して複数（本実施例では４つ）の溝７、７‥が凹部１ａから隣接する凸部１ｂの側壁面にかけて形成されている。この溝７、７‥によって屈曲部分には補強リブ７ａ、７ａ‥が溝７、７‥間に構成され、一層の強度を確保している。
【００１８】
このカバールーフ用曲げ棟部材１は一つ置きの凸部１ｂの上面から比較的長尺の専用ボルト８、８‥によって固着されている。この専用ボルト８、８‥はカバールーフ６を貫通し、母屋Ｃ鋼４に止着されるものとなっており、一枚の曲げ棟部材１に対し、この専用ボルト８、８‥は八本が使用される形態となっている。また、一部は、カバールーフ６に対し、留めビス９、９‥で係止されている。
【００１９】
前記した専用ボルト８は一本当たりの引き抜き強度が４５８ｋｇ（＝４．４８８ニュートン）に設定されており、計八本で３．６６４ｋｇ（＝３５．９０７ニュートン）となる。参考として鹿児島県指宿地区の風圧力は、屋根一般部風圧力が２．１４２ニュートンとなっており、この数倍の耐風強度を担保していることとなり、そのため風圧力による変形は一切生起することがない。
【００２０】
また、このカバールーフ用曲げ棟部材１とカバールーフ６の間には防水シール１０、１０が介在され、雨水の侵入を防御している。
【産業上の利用可能性】
【００２１】
本実施例に係るカバールーフ用曲げ棟部材１は上記のように構成されている。本実施例ではこのカバールーフ用曲げ棟部材１の素材をガルバリウム鋼板としたが、これにこだわるものではなく、ステンレスやアルミニウムあるいは強化プラスチック（ＦＲＰ）等の素材で成形することも勿論可能である。
【符号の説明】
【００２２】
１    カバールーフ用曲げ棟部材
１ａ  凹部
１ｂ  凸部
２    既存梁天
３    既存大波スレート
３ａ  大波曲げ棟
４    母屋Ｃ鋼
５    フックボルト
６    カバールーフ
７    溝
７ａ  補強リブ
８    専用ボルト
９    留めビス
１０  防水シール
Ｓ    スペース
【図１】
0003198899.tif 000003
【図２】
0003198899.tif 000004
【手続補正書】
【提出日】平成27年5月28日(2015.5.28)
【手続補正１】
【補正対象書類名】実用新案登録請求の範囲
【補正対象項目名】全文
【補正方法】変更
【補正の内容】
【実用新案登録請求の範囲】
【請求項１】
カバールーフと同様の曲率で頂面をアール状に形成され、そのカバールーフの棟部分の上面に重合され、前記したカバールーフを貫通し、母屋Ｃ鋼に締結部材により固着され、カバールーフの凹凸に適合するピッチで凹凸部分を連続して一体成形していることを特徴とするカバールーフ用曲げ棟部材。
【請求項２】
前記した凹部分には曲げ方向と直交する複数の溝が平行に形成され、その溝は該凹部分と隣接する凸部の側壁面まで延設されていることを特徴とする請求項１に記載のカバールーフ用曲げ棟部材。
【請求項３】
前記した締結部材は複数のボルトあるいは留めビスとし、その締結部材の引き抜き強度は一本あたり４８５ｋｇ（＝４．４８８ニュートン）としてあることを特徴とする請求項１または請求項２に記載のカバールーフ用曲げ棟部材。
【請求項４】
前記した締結部材は凸部分の頂面から挿通螺着されることを特徴とする請求項１から３のうち１項に記載のカバールーフ用曲げ棟部材。
【請求項５】
アルミニウム・亜鉛合金めっき鋼板によって成形されていることを特徴とする請求項１から４のうち１項に記載のカバールーフ用曲げ棟部材。